(57)【要約】【課題】  框の組み立て時に力を要することなく容易且つ強固に隙間なく接合でき、しかも自由な断面形状に成型できるガタつきのないサッシ戸構造を提供する。【解決手段】  中空の縦框１と横框２を直角に突き合わせた中空コーナー部内に接合具３を挿着して框同士を接合するサッシ戸構造において、接合具３が螺刻したネジ穴３ｂを各框に挿入される位置にそれぞれ形成した略Ｌ字型の板状で、各框の対向する中空内壁に接合具３の板端３ａを挿入する溝１ｃ，２ｃをそれぞれ形成し、同溝１ｃ，２ｃに挿入した状態の接合具３の螺刻したネジ穴３ｂと連通するネジ穴を各框にそれぞれ形成し、溝１ｃ，２ｃに挿入した接合具３を各框のネジ穴を通じて皿ネジ４で螺着することで框同士をガタつきなく接合できるようにした。【選択図】図２ 
2005146720.tif 000002
【特許請求の範囲】
【請求項１】
中空の縦框と横框を直角に突き合わせた中空コーナー部内に接合具を挿着して框同士を接合するサッシ戸構造において、接合具が螺刻したネジ穴を各框に挿入される位置にそれぞれ形成した略Ｌ字型の板状で、各框の対向する中空内壁に接合具の板端を挿入する溝をそれぞれ形成し、同溝に挿入した状態の接合具の螺刻したネジ穴と連通するネジ穴を各框にそれぞれ形成し、溝に挿入した接合具を各框のネジ穴を通じてネジで螺着することで框同士をガタつきなく接合できるようにしたことを特徴とするサッシ戸構造。
【請求項２】
各框のネジ穴部分の板厚を厚肉化して強度を高めるようにした請求項１記載のサッシ戸構造。
【請求項３】
接合具のコーナー隅部となる直角部分を切欠し、各框の突き合わせ部のズレを吸収できるようにした請求項１又は２記載のサッシ戸構造。
【発明の詳細な説明】
【技術分野】
【０００１】
本発明は、中空の縦框と横框の中空コーナー部内に接合具を挿着して框同士を接合するサッシ戸構造に関する。
【背景技術】
【０００２】
従来、サッシの縦框と横框の中空コーナー部内に接合具を挿着して框同士を接合するサッシ戸構造は特許文献１に開示されている。この技術は、端部を４５度方向に切断した角形中空断面を有するサッシ枠部材を互いに直角方向に配置し、互いに直角方向を向いた２本の腕よりなる略Ｌ字形のコーナーブロックの２本の腕を前記サッシ枠部材の中空断面内にそれぞれ挿入することにより前記サッシ枠部材の切断面を密着させるとともに、前記サッシ枠部材の中空断面内で内壁に圧接してなるばね作用を有する板状の添え板を添付することを特徴としている。
【０００３】
ところで、前記技術は添え板をばね作用で圧接するようにしているから組み立てに力を要するとともに、長期間使用による圧接力の低下でガタつきを生じ、分解・部品交換・再組立を必要とする問題があった。また、添え板がばね作用を有するためにはサッシの奥行き方向の厚みが必要であるから、サッシの断面形状に制約が生じる問題があった。
【特許文献１】特開２００３−３０１６７０号公報
【発明の開示】
【発明が解決しようとする課題】
【０００４】
本発明が解決しようとする課題は、従来のこれらの問題点を解消し、框の組み立て時に力を要することなく容易且つ強固に隙間なく接合でき、しかも自由な断面形状に成型できるガタつきのないサッシ戸構造を提供することにある。
【課題を解決するための手段】
【０００５】
かかる課題を解決した本発明の構成は、
１）  中空の縦框と横框を直角に突き合わせた中空コーナー部内に接合具を挿着して框同士を接合するサッシ戸構造において、接合具が螺刻したネジ穴を各框に挿入される位置にそれぞれ形成した略Ｌ字型の板状で、各框の対向する中空内壁に接合具の板端を挿入する溝をそれぞれ形成し、同溝に挿入した状態の接合具の螺刻したネジ穴と連通するネジ穴を各框にそれぞれ形成し、溝に挿入した接合具を各框のネジ穴を通じてネジで螺着することで框同士をガタつきなく接合できるようにしたことを特徴とするサッシ戸構造
２）  各框のネジ穴部分の板厚を厚肉化して強度を高めるようにした前記１）記載のサッシ戸構造
３）  接合具のコーナー隅部となる直角部分を切欠し、各框の突き合わせ部のズレを吸収できるようにした前記１）又は２）記載のサッシ戸構造
にある。
【発明の効果】
【０００６】
本発明によれば、各框の溝に挿入した接合具を各框の外部から接合具の螺刻したネジ穴にネジを螺合して固定するから、力を必要とせず極めて容易且つ強固に隙間なく接合でき、ガタつきがない。長期間使用して緩みによるガタつきを生じても、分解や部品交換をすることなくネジの増し締めで初期の強固な接合を容易に回復できる。また、接合具は板状であるから、各框を任意の断面形状に成型できてデザインの自由度が高い。さらに、引戸や蝶型螺番等で枢設した開き戸においては、接合具が薄い分框の端部にスライドローラやスライドレールを埋め込み易く、より回滑な開閉を可能とするサッシ戸を構成できる。
【発明を実施するための最良の形態】
【０００７】
本発明では、各框のネジ穴部分の板厚を厚肉化して強度の向上と皿ネジの嵌着スペースを確保する。また、接合具のコーナー隅部となる直角部分を切欠して逃げを形成し、各框の突き合わせ部のズレを吸収できるようにするのが望ましい。以下、本発明の実施例を図面に基づいて具体的に説明する。
【実施例１】
【０００８】
図１は実施例のサッシ戸の説明図、図２は実施例の框の接合を示す断面図、図３は図１のＡ−Ａ断面図、図４は実施例の接合具の平面図である。図中、１は縦框、１ａは中空部、１ｂは留め加工部、１ｃは溝，１ｄは厚肉部、１ｅはネジ穴、１ｆはガラス溝、２は横框、２ａは中空部、２ｂは留め加工部、２ｃは溝、２ｅはネジ穴、３は接合具、３ａは板端、３ｂはネジ穴、３ｃは切欠部、４は皿ネジ、５はガラス、６は被覆部材である。
【０００９】
本実施例の縦框１は、図１〜３に示すように内部に中空部１ａを有する押し出し成形のアルミ合金製で、端部を４５度角に切断して留め加工部１ｂを形成し、対向する短手の中空内壁には接合具３の板端３ａを挿入する溝１ｃを長手方向に沿ってそれぞれ形成し、幅方向中央部は厚肉部１ｄを形成して接合具３のネジ穴３ｂと連通する円錐状のネジ穴１ｅを開口し、一側面にガラス５を挿着するガラス溝１ｆを形成している。横框２も同様の構成である。
【００１０】
接合具３は、図４に示すように全体が略Ｌ字型の薄い金属製の板状で、両端に縦框１及び横框２の溝１ｃ，２ｃに挿入できる厚さの板端３ａが形成され、縦框１及び横框２のネジ穴１ｅ，２ｅと連通する螺刻したネジ穴３ｂをそれぞれ対称に形成し、コーナー隅部となる外側及び内側の直角部分に半円状の切欠部３ｃを形成している。
【００１１】
この接合具３の一方の板端３ａを縦框１の留め加工部１ｂから溝１ｃ内でスライドさせて中空部１ａ内に挿入し、接合具３の他方の板端３ａを横框２の留め加工部２ｂから溝２ｃ内でスライドさせて中空部２ａ内に挿入し、縦框１と横框２の各留め加工部１ｂ，２ｂ同士を突き合わせ、皿ネジ４を縦框１と横框２のネジ穴１ｅ，２ｅから接合具３のネジ穴３ｂに螺挿し、接合具３が縦框１及び横框２の外面と溝１ｃ，２ｃとの間に皿ネジ４で挟持されることで框同士が強固に固定される。その後、ガラス５の挿着と並行して前記の接合方法で四方が枠組みされ、各框の突き合わせたコーナー部分にＬ字型の被覆部材６を嵌着してサッシ戸が組み立てられる。
【００１２】
本実施例はこのように構成したから、力を必要とせず極めて容易に且つ強固に隙間なく接合でき、ガタつきがないものになった。また、接合具３は板状であるから、図３に示すように框を薄型の断面形状に成型できるなど意匠性に優れたサッシ戸となった。
【産業上の利用可能性】
【００１３】
本発明は、住宅等の開口部に取り付けられるサッシ戸の他、中空の框を枠組みして構成される額縁などに応用できる。
【図面の簡単な説明】
【００１４】
【図１】実施例のサッシ戸の説明図である。
【図２】実施例の框の接合を示す断面図である。
【図３】図１のＡ−Ａ断面図である。
【図４】実施例の接合具の平面図である。
【符号の説明】
【００１５】
１  縦框
１ａ  中空部
１ｂ  留め加工部
１ｃ  溝
１ｄ  厚肉部
１ｅ  ネジ穴
１ｆ  ガラス溝
２  横框
２ａ  中空部
２ｂ  留め加工部
２ｃ  溝
２ｅ  ネジ穴
３  接合具
３ａ  板端
３ｂ  ネジ穴
３ｃ  切欠部
４  皿ネジ
５  ガラス
６  被覆部材
【図１】
2005146720.tif 000003
【図２】
2005146720.tif 000004
【図３】
2005146720.tif 000005
【図４】
2005146720.tif 000006